(57)【要約】【課題】電気信号の高速伝送用のコネクタでは、差動伝送時に対となる信号端子同士で生じ得るクロストークを低減するために、一方の端子群と他方の端子群の間に、シールド板を配置しているものがあるが、より高速な電気信号の伝送が行われた場合には、互に向かい合った端子間のクロストークの発生を十分に防ぐことができなかった。【解決手段】そこで、シールド板の一端を一方の端子群の両端に配置された第１グランド端子に連結し、シールド板の他端を他方の端子群の両端に配置された第２グランド端子に連結して成形することで、第１グランド端子に隣接する端子及び当該第１グランド端子に向かい合った第２グランド端子に隣接する端子のうち少なくとも一方を信号端子として機能させた場合に、遮蔽シールド板で向かい合う端子との間で生じ得るクロストークを低減することが可能なコネクタを提供する。【選択図】図７
2018110087.tif 000002
【特許請求の範囲】
【請求項１】
コネクタであって、
複数の端子を含む第１端子群と、
複数の端子を含む第２端子群と、
第１グランド端子と、
第２グランド端子と、
前記第１端子群、前記第１グランド端子、前記第２端子群及び前記第２グランド端子を保持した絶縁樹脂製のハウジングと、
第１端子群と第２端子群の間に配置された遮蔽シールド板と、
を含み、
前記第１端子群に含まれる複数の端子は、前記ハウジングの長手方向に沿って一方の側に配列され、前記第１グランド端子は前記第１端子群を間に挟んで両端に配置され、
前記第２端子群に含まれる複数の端子は、前記ハウジングの長手方向に沿って他方の側に配列され、前記第２グランド端子は前記第２端子群を間に挟んで両端に配置され、
前記遮蔽シールド板は、連結部を介して前記第１グランド端子及び前記第２グランド端子の少なくとも一方に連結されていること
を特徴とするコネクタ。
【請求項２】
前記ハウジングの短手方向に沿って切った前記第１端子群に含まれる端子の断面形状と短手方向に沿って切った前記第１グランド端子の断面形状は同一であり、
前記ハウジングの短手方向に沿って切った前記第２端子群に含まれる端子の断面形状と短手方向に沿って切った前記第２グランド端子の断面形状は同一であること
を特徴とする請求項１に記載のコネクタ。
【請求項３】
前記第１端子群と、前記第１グランド端子と、前記第２端子群と、前記第２グランド端子と、前記遮蔽シールド板と、前記連結部とは、前記ハウジングに一体モールド成形されていること
を特徴とする請求項１又は２に記載のコネクタ。
【請求項４】
前記遮蔽シールド板は、第１端子群と第２端子群の間に長手方向に沿って２枚配置されたこと
を特徴とする請求項１から３のいずれか１項に記載のコネクタ。
【請求項５】
前記２枚の遮蔽シールド板のうち１枚目の遮蔽シールド板は第１グランド端子に連結され、２枚目の遮蔽シールド板は第２グランド端子に連結されたこと
を特徴とする請求項４に記載のコネクタ。
【請求項６】
前記２枚の遮蔽シールド板は、共に第１グランド端子又は第２グランド端子に連結されたこと
を特徴とする請求項４に記載のコネクタ。
【請求項７】
前記遮蔽シールド板は、第１端子群と第２端子群の間に長手方向に沿って１枚配置されていること
を特徴とする請求項１から３のいずれか１項に記載のコネクタ。
【請求項８】
前記遮蔽シールド板の一端は、第１グランド端子に連結され、前記遮蔽シールド板の他端は、第２グランド端子に連結されたこと
を特徴とする請求項７に記載のコネクタ。
【請求項９】
前記遮蔽シールド板の両端は、共に第１グランド端子又は第２グランド端子に連結されたこと
を特徴とする請求項７に記載のコネクタ。
【請求項１０】
前記ハウジングの短手方向に配置された補強部をさらに備え、
一方の側壁に設けられた前記補強部は、連結部を介して一方の側の前記第１グランド端子と連結され、
他方の側壁に設けられた前記補強部は、連結部を介して他方の側の前記第２グランド端子と連結され、
前記補強部に連結された前記第１グランド端子及び前記第２グランド端子は、前記遮蔽シールド板には連結されていないこと
を特徴とする請求項１から９のいずれか１項に記載のコネクタ。
【請求項１１】
コネクタであって、
複数の端子を含む第１端子群と、
複数の端子を含む第２端子群と、
第１グランド端子と、
第２グランド端子と、
前記第１端子群、前記第１グランド端子、前記第２端子群及び前記第２グランド端子を保持した絶縁樹脂製のハウジングと、
第１端子群と第２端子群の間に配置された遮蔽シールド板と、
前記ハウジングの短手方向の側壁に配置された補強部と、
を含み、
前記第１端子群に含まれる複数の端子は、前記ハウジングの長手方向に沿って一方の側に配列され、前記第１グランド端子は前記第１端子群を間に挟んで両端に配置され、
前記第２端子群に含まれる複数の端子は、前記ハウジングの長手方向に沿って他方の側に配列され、前記第２グランド端子は前記第２端子群を間に挟んで両端に配置され、
前記補強部は、前記前記ハウジングの短手方向に沿った側壁の各々に設けられ、
前記遮蔽シールド板は、連結部を介して前記補強部の各々に連結されていること
を特徴とするコネクタ。
【請求項１２】
前記補強部は、隣接する前記第１グランド端子及び前記第２グランド端子と連結部を介して連結されていること
を特徴とする請求項１１に記載のコネクタ。
【請求項１３】
前記ハウジングの短手方向に沿って切った前記第１端子群に含まれる端子の断面形状と短手方向に沿って切った前記第１グランド端子の断面形状は同一であり、
前記ハウジングの短手方向に沿って切った前記第２端子群に含まれる端子の断面形状と短手方向に沿って切った前記第２グランド端子の断面形状は同一であること
を特徴とする請求項１１又は１２に記載のコネクタ。
【請求項１４】
前記第１端子群と、前記第１グランド端子と、前記第２端子群と、前記第２グランド端子と、前記遮蔽シールド板と、前記補強部と、前記連結部とは、前記ハウジングに一体モールド成形されていること
を特徴とする請求項１１から１３のいずれか１項に記載のコネクタ。
【請求項１５】
前記遮蔽シールド板は、前記第１端子群に含まれる複数の端子と前記第２端子群に含まれる複数の端子が互いに向かい合う間のすべて又は一部を遮るように構成されたこと
を特徴とする請求項１から１４のいずれか１項に記載のコネクタ。
【請求項１６】
前記遮蔽シールド板は、前記ハウジングの長手方向に沿って中央部分に形成された嵌合凸部に埋設されたこと
を特徴とする請求項１から１５のいずれか１項に記載のコネクタ。
【請求項１７】
一方の側に配置された前記第１グランド端子に隣接する端子、及び、前記第１グランド端子と向かい合った第２グランド端子に隣接する端子のうち少なくとも一方を、信号端子として機能させたこと
を特徴とする請求項１から１６のいずれか１項に記載のコネクタ。
【請求項１８】
一方の側に配置された前記第１グランド端子に隣接する端子を信号端子として機能させ、向かい合った第２グランド端子に隣接する端子をグランド端子として機能させたこと
を特徴とする請求項１から１６のいずれか１項に記載のコネクタ。
【発明の詳細な説明】
【技術分野】
【０００１】
本発明は、基板間を接続するためのコネクタであって、電気信号の高速伝送に適したコネクタに関する。具体的には、コネクタが備える複数の端子が近接して狭ピッチで配列された際に、互に向かい合った端子同士が互いの容量あるいは誘導により生じ得るクロストークの発生を低減し、インピーダンス整合等の高周波特性を適切に保つことが可能なコネクタの構造に関する。特に、グランド端子に隣接して配置された信号端子の高周波特性を向上させることが可能な遮蔽シールド板を含むコネクタの構成に関する。
【背景技術】
【０００２】
電気信号等を伝送する際に使用するコネクタの従来例として、特許３３０８１３２号公報（特許文献１）に記載されているようなコネクタを挙げることができる。従来例のコネクタでは、直線上に配列された２つの端子群に含まれる複数の端子の各々が、長方形状のハウジングに一体モールド成形等により保持している。また、基板（プリント配線基板、フレキシブルフラットケーブル等）間を接続するプラグコネクタ及びレセプタクルコネクタ（ソケットコネクタ）がある。
【０００３】
近年、計測機器、音響・映像（ＡＶ）機器等の電子機器に搭載されたデータ処理装置の能力が向上し、電子機器において膨大なデータを処理できるようになり、それに伴って、大量のデータが電気信号として、このような基板間を接続するコネクタを介して高速に送受信されるようになった。
【０００４】
そして、スマートフォン等の携帯端末の小型化や高機能化等に伴って、プリント配線基板において素子、コネクタ等の部品の高密度実装化の要求もますます増え、コネクタ自体の小型化、コネクタにおける端子間の狭ピッチ化が進んでいる。このような状況において、高周波の電気信号を適切に伝送するために、複数の端子間で生じ得るインピーダンス整合等の乱れを低減し得る望ましい高周波特性を示すコネクタが必要とされている。
【０００５】
例えば、特許３３０８１３２号公報（特許文献１）に記載のコネクタでは、差動伝送時に対となる信号端子同士の容量あるいは誘導により生じ得るクロストークの発生を低減して、インピーダンス整合への悪影響を低減するために、一方の端子群と他方の端子群の間に、シールド板を配置している。
【先行技術文献】
【特許文献】
【０００６】
【特許文献１】特許３３０８１３２号公報
【発明の概要】
【発明が解決しようとする課題】
【０００７】
しかしながら、上記従来例のようなシールド板を含むコネクタであっても、より高速な電気信号の伝送が行われた場合には、互に向かい合った端子間のクロストークの発生によるインピーダンス整合への悪影響を十分に防ぐことはできず、適切な高周波特性を維持することができない。また、コネクタに備えられたシールド板は、基板に実装して固定するための底面（実装部）を有し、当該底面がコネクタのハウジングの側壁よりも外側に延出していることから、基板におけるコネクタ等の部品の高密度実装化やコネクタ自体の小型化の妨げとなる。さらに、端子群に含まれる同一形状の複数の端子とは別個に、シールド板を用いるため、部品の数が多くなり、コネクタの製造の際にそれら部品の取り扱いが煩雑になる。
【０００８】
以上のような課題を解決するために、長手方向に沿って一方の側に配列された複数の端子を含む第１端子群と、長手方向に沿って他方の側に配列された複数の端子を含む第２端子群と、第１端子群の配列の両端に配置された第１グランド端子と、第２端子群の配列の両端に配置された第２グランド端子と、第１端子群、第１グランド端子、第２端子群及び第２グランド端子を保持する絶縁性のハウジングとを含むコネクタにおいて、第１端子群と第２端子群の間に配置された遮蔽シールド板の一端を第１グランド端子に連結し、遮蔽シールド板の他端を第２グランド端子に連結して成形することで、一方の側に配置された第１グランド端子に隣接する端子及び当該第１グランド端子に向かい合った第２グランド端子に隣接する端子のうち少なくとも一方を信号端子として機能させた場合に、当該信号端子は、第１グランド端子及び第２グランド端子のいずれかに隣接し、かつ、第１グランド端子及び第２グランド端子のうち少なくとも一方との連結によりグランドとして機能する遮蔽シールド板で向かい合う端子とのクロストークを低減することによって、当該信号端子の高周波特性を向上させ、狭ピッチ化に伴って生じ得るクロストーク等の電気的悪影響の発生を低減し、インピーダンス整合を適切に維持することが可能なコネクタを提供する。
【０００９】
また、遮蔽シールド板を第１グランド端子及び第２グランド端子に連結させたことで、部品数を減らすことができ、遮蔽シールド板を基板に接続するためにハウジングの側壁の外側に延出するような実装部を設ける必要がなく、コネクタ等の部品の高密度実装化や小型化を可能なコネクタを提供する。
【課題を解決するための手段】
【００１０】
本発明の１つの実施形態に係るコネクタは、
複数の端子を含む第１端子群と、
複数の端子を含む第２端子群と、
第１グランド端子と、
第２グランド端子と、
前記第１端子群、前記第１グランド端子、前記第２端子群及び前記第２グランド端子を保持した絶縁樹脂製のハウジングと、
第１端子群と第２端子群の間に配置された遮蔽シールド板と、
を含み、
前記第１端子群に含まれる複数の端子は、前記ハウジングの長手方向に沿って一方の側に配列され、前記第１グランド端子は前記第１端子群を間に挟んで両端に配置され、
前記第２端子群に含まれる複数の端子は、前記ハウジングの長手方向に沿って他方の側に配列され、前記第２グランド端子は前記第２端子群を間に挟んで両端に配置され、
前記遮蔽シールド板は、連結部を介して前記第１グランド端子及び前記第２グランド端子の少なくとも一方に連結されていることを特徴とする。
【００１１】
本発明に係るコネクタの好ましい実施形態として、
前記ハウジングの短手方向に沿って切った前記第１端子群に含まれる端子の断面形状と短手方向に沿って切った前記第１グランド端子の断面形状は同一であり、
前記ハウジングの短手方向に沿って切った前記第２端子群に含まれる端子の断面形状と短手方向に沿って切った前記第２グランド端子の断面形状は同一であることを特徴とする。
【００１２】
本発明に係るコネクタの好ましい実施形態として、
前記第１端子群と、前記第１グランド端子と、前記第２端子群と、前記第２グランド端子と、前記遮蔽シールド板と、前記連結部とは、前記ハウジングに一体モールド成形されていることを特徴とする。
【００１３】
本発明に係るコネクタの好ましい実施形態として、
前記遮蔽シールド板は、第１端子群と第２端子群の間に長手方向に沿って２枚配置されたことを特徴とする。
【００１４】
本発明に係るコネクタの好ましい実施形態として、
前記２枚の遮蔽シールド板のうち１枚目の遮蔽シールド板は第１グランド端子に連結され、２枚目の遮蔽シールド板は第２グランド端子に連結されたことを特徴とする。
【００１５】
本発明に係るコネクタの好ましい実施形態として、
前記２枚の遮蔽シールド板は、共に第１グランド端子又は第２グランド端子に連結されたことを特徴とする。
【００１６】
本発明に係るコネクタの好ましい実施形態として、
前記遮蔽シールド板は、第１端子群と第２端子群の間に長手方向に沿って１枚配置されていることを特徴とする。
【００１７】
本発明に係るコネクタの好ましい実施形態として、
前記遮蔽シールド板の一端は、第１グランド端子に連結され、前記遮蔽シールド板の他端は、第２グランド端子に連結されたことを特徴とする。
【００１８】
本発明に係るコネクタの好ましい実施形態として、
前記遮蔽シールド板の両端は、共に第１グランド端子又は第２グランド端子に連結されたことを特徴とする。
【００１９】
本発明に係るコネクタの好ましい実施形態として、
前記ハウジングの短手方向に配置された補強部をさらに備え、
一方の側壁に設けられた前記補強部は、連結部を介して一方の側の前記第１グランド端子と連結され、
他方の側壁に設けられた前記補強部は、連結部を介して他方の側の前記第２グランド端子と連結され、
前記補強部に連結された前記第１グランド端子及び前記第２グランド端子は、前記遮蔽シールド板には連結されていないことを特徴とする。
【００２０】
本発明の別の実施形態に係るコネクタは、
複数の端子を含む第１端子群と、
複数の端子を含む第２端子群と、
第１グランド端子と、
第２グランド端子と、
前記第１端子群、前記第１グランド端子、前記第２端子群及び前記第２グランド端子を保持した絶縁樹脂製のハウジングと、
第１端子群と第２端子群の間に配置された遮蔽シールド板と、
前記ハウジングの短手方向の側壁に配置された補強部と、
を含み、
前記第１端子群に含まれる複数の端子は、前記ハウジングの長手方向に沿って一方の側に配列され、前記第１グランド端子は前記第１端子群を間に挟んで両端に配置され、
前記第２端子群に含まれる複数の端子は、前記ハウジングの長手方向に沿って他方の側に配列され、前記第２グランド端子は前記第２端子群を間に挟んで両端に配置され、
前記補強部は、前記前記ハウジングの短手方向に沿った側壁の各々に設けられ、
前記遮蔽シールド板は、連結部を介して前記補強部の各々に連結されていることを特徴とする。
【００２１】
本発明に係るコネクタの好ましい実施形態として、
前記補強部は、隣接する前記第１グランド端子及び前記第２グランド端子と連結部を介して連結されていることを特徴とする
【００２２】
本発明に係るコネクタの好ましい実施形態として、
前記ハウジングの短手方向に沿って切った前記第１端子群に含まれる端子の断面形状と短手方向に沿って切った前記第１グランド端子の断面形状は同一であり、
前記ハウジングの短手方向に沿って切った前記第２端子群に含まれる端子の断面形状と短手方向に沿って切った前記第２グランド端子の断面形状は同一であることを特徴とする。
【００２３】
本発明に係るコネクタの好ましい実施形態として、
前記第１端子群と、前記第１グランド端子と、前記第２端子群と、前記第２グランド端子と、前記遮蔽シールド板と、前記補強部と、前記連結部とは、前記ハウジングに一体モールド成形されていることを特徴とする。
【００２４】
本発明に係るコネクタの好ましい実施形態として、
前記遮蔽シールド板は、前記第１端子群に含まれる複数の端子と前記第２端子群に含まれる複数の端子が互いに向かい合う間のすべて又は一部を遮るように構成されたことを特徴とする。
【００２５】
本発明に係るコネクタの好ましい実施形態として、
前記遮蔽シールド板は、前記ハウジングの長手方向に沿って中央部分に形成された嵌合凸部に埋設されたことを特徴とする。
【００２６】
本発明に係るコネクタの好ましい実施形態として、
一方の側に配置された前記第１グランド端子に隣接する端子、及び、前記第１グランド端子と向かい合った第２グランド端子に隣接する端子のうち少なくとも一方を、信号端子として機能させたことを特徴とする。
【００２７】
本発明に係るコネクタの好ましい実施形態として、
一方の側に配置された前記第１グランド端子に隣接する端子を信号端子として機能させ、向かい合った第２グランド端子に隣接する端子をグランド端子として機能させたことを特徴とする。
【発明の効果】
【００２８】
本発明に係るコネクタは、第１端子群と第２端子群の間に配置された遮蔽シールド板を、第１端子群の配列の端に配置された第１グランド端子及び第２端子群の配列の端に配置された第２グランド端子に連結して成形することで、第１グランド端子に隣接する端子及び当該第１グランド端子に向かい合った第２グランド端子に隣接する端子の少なくとも一方を信号端子として機能させた場合に、第１グランド端子又は第２グランド端子との連結によりグランドとして機能する遮蔽シールド板で向かい合う端子との間で生じ得るクロストークを遮ることができる。そのため、当該信号端子として機能する端子は、高周波特性を向上させることができ、互いに向かい合った端子同士が互いの容量あるいは誘導により生じ得るクロストーク等の電気的悪影響の発生を低減し、インピーダンス整合を適切に維持することができる。
【００２９】
また、遮蔽シールド板を第１グランド端子及び第２グランド端子に連結させたことで、部品数を減らすことができ、遮蔽シールド板を基板に接続するためにハウジングの側壁の外側に延出するような実装部を設ける必要がなく、コネクタ等の部品の高密度実装化や小型化を可能にしつつ、互に向かい合った端子同士が互いの容量あるいは誘導により生じ得るクロストーク等の電気的悪影響の発生を低減し、インピーダンス整合を適切に維持することができる。
【図面の簡単な説明】
【００３０】
【図１】本発明の一実施形態に係るレセプタクルコネクタとプラグコネクタを含むコネクタシステムの外観を示す図である。
【図２】本発明の一実施形態に係るレセプタクルコネクタとプラグコネクタを含むコネクタシステムの側面を示す側面図である。
【図３】図２に示すＡ−Ａ線に沿ってコネクタシステムを垂直に切った断面図である。
【図４】図２に示すＢ−Ｂ線に沿ってコネクタシステムを垂直に切った断面図である。
【図５】図３に示すＣ−Ｃ線に沿って図２に示すコネクタシステムを垂直に切った断面図である。
【図６】本発明の一実施形態に係るレセプタクルコネクタの底面を示す図である。
【図７】本発明の一実施形態に係る端子群、グランド端子及び遮蔽シールド板等を示す斜視図である。
【図８】図７に示す端子群、グランド端子及び遮蔽シールド板等の上面図である。
【図９】本発明の別の実施形態に係る端子群、グランド端子及び遮蔽シールド板等を示す斜視図である。
【図１０】図９に示す端子群、グランド端子及び遮蔽シールド板等の上面図である。
【図１１】本発明のさらに別の実施形態に係る端子群、グランド端子及び遮蔽シールド板等を示す斜視図である。
【図１２】図１１に示す端子群、グランド端子及び遮蔽シールド板等の上面図である。
【発明を実施するための形態】
【００３１】
以下に図面を参照して、本発明の実施形態について説明する。なお、実施の形態を説明するための全ての図において、同一部材には原則として同一の符号を付し、その繰り返しの説明は省略する。また、それぞれの実施形態は、独立して説明されているが、互いの構成要素を組み合わせてコネクタを構成することを排除するものではない。
【００３２】
図１は、本発明の一実施形態に係るレセプタクルコネクタとプラグコネクタを含むコネクタシステムの外観を示す図である。図１において、コネクタの嵌合方向をＺ軸方向とし、コネクタの長手方向をＸ軸方向とし、コネクタの短手方向をＹ軸方向とする。図２から１２においても同様である。コネクタの嵌合方向（Ｚ軸方向）において、プラグコネクタ１側を上側とし、レセプタクルコネクタ２側を下側とする。また、長手方向（Ｘ軸方向）の一方の側をＸ1側とし、他方の側をＸ2側とする。
【００３３】
本コネクタシステムは、例えば、携帯電話やスマートフォン、デジタルカメラ、ノートパソコンなどの小型電子機器における内部部品として使用することができるものである。図１では、プラグコネクタ１及びレセプタクルコネクタ２の各々における複数の端子のうちの一部に符号「１０ａ」、「１０ｂ」、「２０ａ」又は「２０ｂ」を付し、その他の同じ形状の端子の符号を省略して示す。プラグコネクタ１は、破線で示される基板３に実装され、レセプタクルコネクタ２は、破線で示される基板４に実装される。図１に示す実施例では、基板３はフレキシブルフラットケーブルであり、基板４はプリント配線基板であるが、当該実施例に限定されるものではない。ここでは、プリント配線基板及びフレキシブルフラットケーブル等、コネクタが実装されるものを、単に「基板」と呼ぶ。
【００３４】
プラグコネクタ１及びレセプタクルコネクタ２は、絶縁樹脂製のハウジングを長方形状に成形して構成される。プラグコネクタ１は、ハウジング５０の長手方向（Ｘ軸方向）の第１側壁５ａに配列された複数の端子１０ａを含む第１端子群１００ａと、第１グランド端子３０ａを有し、同様に、ハウジング５０の長手方向（Ｘ軸方向）の第２側壁５ｂに配列された複数の端子１０ｂを含む第１端子群１００ｂと、第２グランド端子３０ｂを有する。レセプタクルコネクタ２は、ハウジング６０の長手方向（Ｘ軸方向）の第１側壁６ａに配列された複数の端子２０ａを含む第１端子群２００ａと、第１グランド端子４０ａを有し、同様に、ハウジング６０の長手方向（Ｘ軸方向）の第２側壁６ｂに配列された複数の端子２０ｂを含む第２端子群２００ｂと、第２グランド端子４０ｂを有する。
【００３５】
長方形状のプラグコネクタ１は、長手方向（Ｘ軸方向）の両側の第１側壁５ａ及び第２側壁５ｂに、同じ形状の複数の端子１０ａ及び１０ｂを等しい間隔で配列して保持することができる。また、プラグコネクタ１は、第１側壁５ａに、複数の第１グランド端子３０ａを保持し、第２側壁５ｂに、複数の第２グランド端子３０ｂを保持することができる。複数の第１グランド端子３０ａは、等間隔で長手方向に並べられた複数の端子１０ａの配列に隣接する位置に配置することができる。複数の第２グランド端子３０ｂについても同様である。さらに、プラグコネクタ１は、相手コネクタであるレセプタクルコネクタ２との嵌合の際にハウジング５０の側壁を保護するために、金属等の導電性部材で形成された補強部３４を、短手方向（Ｙ軸方向）に沿った側壁に設けることができる。
【００３６】
本発明の一実施形態では、ハウジング５０の一方（Ｙ1側）の側壁５ａにおいて、２つの第１グランド端子３０ａを第１端子群１００ａに含まれる複数の端子１０ａの配列を間に挟んで両端に隣接する位置にそれぞれ配置しているが、複数の端子１０ａの配列の少なくとも一端に１つの第１グランド端子３０ａを配置することもできる。ハウジング５０の他方（Ｙ2側）の側壁５ｂの構成についても同様である。また、本発明の一実施形態では、補強部３４をハウジング５０の短手方向（Ｙ軸方向）に沿った両側側壁にそれぞれ設けているが、一方の側壁にだけ設けてもよく、ハウジング５０の強度が十分であれば設けなくてもよい。
【００３７】
長方形状のレセプタクルコネクタ２は、長手方向（Ｘ軸方向）に畝状に形成された嵌合凸部６１をハウジング６０の中央部分に備え、嵌合凸部６１の周囲を取り囲むように溝状に形成された嵌合凹部８０を備える。レセプタクルコネクタ２の嵌合凸部６１及び嵌合凹部８０は、プラグコネクタ１の嵌合凹部５１（図３参照）及び該嵌合凹部５１を取り囲む第１側壁５ａ及び第２側壁５ｂを含み嵌合凸部となり得る側壁とそれぞれ嵌め合わされる。嵌合凸部６１の短手方向（Ｙ軸方向）に沿った縁部分の上部には、プラグコネクタ１の嵌合凹部５１（図３参照）との嵌め合せをスムーズに行うためのテーパー部６５を設けることができる。
【００３８】
金属等の導電性部材で形成された遮蔽シールド板４７は、一方の端子群である第１端子群２００ａと他方の端子群である第２端子群２００ｂの間及び一方のグランド端子である第１グランド端子４０ａと他方のグランド端子である第２グランド端子４０ｂの間を遮って配置されるように、嵌合凸部６１に埋設することができる。埋設された遮蔽シールド板４７は、嵌合凸部６１の上面よりも上方に出ないように構成することができ、嵌合凸部６１の上面に設けられた開口部から露出させることができる。本発明の一実施形態では、埋設された遮蔽シールド板４７に沿って嵌合凸部６１の上面に開口部が設けられているが、遮蔽シールド板４７を露出させる必要がなければ、開口部を設けなくてもよい。遮蔽シールド板は、ハウジングの嵌合凸部に対して圧入または一体モールド成形により、ハウジングに保持させることができる。
【００３９】
レセプタクルコネクタ２は、長手方向（Ｘ軸方向）に沿った第１側壁６ａに、同じ形状の複数の端子２０ａを等しい間隔で配列して保持することができ、同様に、長手方向（Ｘ軸方向）に沿った第２側壁６ｂに、同じ形状の複数の端子２０ｂを等しい間隔で配列して保持することができる。また、レセプタクルコネクタ２は、長手方向（Ｘ軸方向）に沿った第１側壁６ａに、複数の第１グランド端子４０ａを保持することができ、同様に、長手方向（Ｘ軸方向）に沿った第２側壁６ｂに、複数の第２グランド端子４０ｂを保持することができる。
【００４０】
複数の第１グランド端子４０ａは、等間隔で長手方向（Ｘ軸方向）に沿って並べられた複数の端子２０ａの配列に隣接する位置に配置することができ、同様に、複数の第２グランド端子４０ｂは、等間隔で長手方向（Ｘ軸方向）に沿って並べられた複数の端子２０ｂの配列に隣接する位置に配置することができる。さらに、レセプタクルコネクタ２は、相手コネクタであるプラグコネクタ１との嵌合の際にハウジング６０の短手方向（Ｙ軸方向）に沿った側壁を保護するために、金属等の導電性部材で形成された補強部４６を、短手方向（Ｙ軸方向）に沿った側壁に設けることができる。補強部４６は、嵌合凸部６１に面した側面に、プラグコネクタ１との嵌合状態を固定するためのロック部５４を備えることができる。
【００４１】
本発明の一実施形態では、ハウジング６０の一方（Ｙ1側）の第１側壁６ａにおいて、２つの第１グランド端子４０ａを第１端子群２００ａに含まれる複数の端子２０ａの配列の両端に隣接する位置にそれぞれ配置しているが、複数の端子２０ａの配列の少なくとも一端に１つの第１グランド端子４０ａを配置することもできる。ハウジング６０の他方（Ｙ2側）の第２側壁６ｂの構成についても同様である。また、本発明の一実施形態では、補強部４６をハウジング６０の短手方向（Ｙ軸方向）に沿った両側側壁にそれぞれ設けているが、一方の側壁にだけ設けてもよく、ハウジング６０の強度が十分であれば設けなくてもよい。
【００４２】
図２は、本発明の一実施形態に係るレセプタクルコネクタとプラグコネクタを含むコネクタシステムの側面を示す側面図である。図２に示す短手方向（Ｙ軸方向）のＡ−Ａ線に沿って、プラグコネクタ１の第２グランド端子３０ｂ及び該第２グランド端子３０ｂに向かい合ったレセプタクルコネクタ２の第２グランド端子４０ｂが設けられた部分からハウジング５０及びハウジング６０を垂直に切った断面図を図３に示す。また、図２に示す短手方向（Ｙ軸方向）のＢ−Ｂ線に沿って、プラグコネクタ１の端子１０ｂ及び該端子１０ｂに向かい合ったレセプタクルコネクタ２の端子２０ｂが設けられた部分からハウジング５０及びハウジング６０を垂直に切った断面図を図４に示す。
【００４３】
図３の断面図を参照すると、プラグコネクタ１のハウジング５０は、中央部分に嵌合凹部５１を備え、第１側壁５ａ又は第２側壁５ｂの一部分である保持壁５２に第１グランド端子３０ａ又は第２グランド端子３０ｂを設けることができる。プラグコネクタ１の第１グランド端子３０又は第２グランド端子３０ｂは、Ｕ字状に湾曲した部分である嵌入部３３と、Ｕ字状の嵌入部３３の互いに向き合う位置に２つの脚部が形成され、嵌入部３３の２つの脚部のうち嵌合凹部５１側にある一方の脚部３３Ａ（以下、「内側脚部３３Ａ」という）から、屈曲された移行部３２を経て、プラグコネクタ１の短手方向（Ｙ軸方向）外側（Ｙ1側又はＹ2側）に延び、基板３に実装される（半田接続される）接続部３１とを有する。図１及び図３に示されるように、第１グランド端子３０ａ及び第２グランド端子３０ｂは、それぞれ嵌入部３３および移行部３２で、プラグコネクタ１の長手方向（Ｘ軸方向）に沿った第１側壁５ａ及び第２側壁５ｂとの一体モールド成形等により保持壁５２に保持される。
【００４４】
嵌入部３３は、プラグコネクタ１の長手方向に沿った第１側壁５ａ又は第２側壁５ｂの一部分である保持壁５２を下方から跨ぐようにして、該保持壁５２に埋没されている。嵌入部３３は、Ｕ字状部分の内側板面および側縁が保持壁５２に保持されていて、保持壁５２から露呈したＵ字状部分の外側板面が、第１側壁５ａ又は第２側壁５ｂの内側（嵌合凹部５１側）の表面と同一の面をなすように位置している。
【００４５】
嵌入部３３は、内側脚部３３Ａの嵌合凹部５１側の板面に凹状又は凸状に形成された接触部（図示せず）を有し、当該接触部は、レセプタクルコネクタ２との嵌合状態にてレセプタクルコネクタ２の端子２０の接触部４５Ａと接圧をもって接触することができる。また、嵌入部３３の他方の脚部３３Ｂ（以下、「外側脚部３３Ｂ」という）の嵌合凹部５１から外側に位置する、外側脚部３３Ｂの板面は、レセプタクルコネクタ２のグランド端子４０の外側脚部４２Ａの板面に形成された凹状の接触部４２Ａ−１（図７参照）と係止する凸状の接触部として形成される。
【００４６】
図３の断面図に示されるように、第１グランド端子３０ａ及び第２グランド端子３０ｂは、それぞれプラグコネクタ１の長手方向（Ｘ軸方向）に沿った第１側壁５ａ又は第２側壁５ｂの一部分である保持壁５２を接続部３１、移行部３２、内側脚部３３Ａ及び外側脚部３３Ｂを含むＵ字状の嵌入部３３で包み込むようにして、保持壁５２に保持されることにより、内側脚部３３Ａと外側脚部３３Ｂの間、すなわち、嵌入部３３の内側には樹脂が存在し、若しくは充填されている。
【００４７】
レセプタクルコネクタ２の第１グランド端子４０ａ及び第２グランド端子４０ｂは、それぞれ嵌合凸部６１側に上下方向に延び自由端を有する弾性脚部（以下、「内側脚部４５」という）及びレセプタクルコネクタ２の第１側壁６ａ又は第２側壁６ｂの一部分である保持壁６２に保持される被保持部４２に連結する脚部（以下、「外側脚部４２Ａ」という）といった２つの脚部を有する、Ｕ字状に湾曲した部分である被嵌入部４３と、Ｕ字状の被嵌入部４３の外側脚部４２Ａを一方の脚部として共有し、外側脚部４２Ａよりも外側の脚部（以下、「外側脚部４２Ｂ」）を他方の脚部として有する逆Ｕ字状の被保持部４２と、外側脚部４２Ｂからレセプタクルコネクタ２の短手方向（Ｙ軸方向）外側（Ｙ1側又はＹ2側）に延び基板に実装される（半田接続される）接続部４１とを有する。
【００４８】
図１及び図３に示されるように、第１グランド端子４０ａ及び第２グランド端子４０ｂは、それぞれ被嵌入部４３、被保持部４２、外側脚部４２Ａ及び４２Ｂで、レセプタクルコネクタ２の長手方向に沿った第１側壁６ａ又は第２側壁６ｂとの一体モールド成形等により保持される。被保持部４２は、第１側壁６ａ又は第２側壁６ｂの一部分である保持壁６２を上方から跨ぐようにして、該保持壁６２に埋没されている。被嵌入部４３の外側脚部４２Ａの外側（裏側）板面および側縁が保持壁６２に保持されていて、保持壁６２から露呈したＵ字状部分の内側板面が、第１側壁６ａ又は第２側壁６ｂの内側（嵌合凸部６１側）の表面と同一の面をなすように位置している。
【００４９】
図３の断面図を参照すると、第１グランド端子４０ａ及び第２グランド端子４０ｂは、それぞれレセプタクルコネクタ２の長手方向に沿った第１側壁６ａ又は第２側壁６ｂの一部分である保持壁６２に、外側脚部２２Ｂが埋め込まれて保持される。つまり、外側脚部４２Ｂが主保持壁６２Ａと副保持壁６２Ｂの間で挟み込まれ、外側脚部４２Ｂ及び外側脚部４２Ａを含む逆Ｕ字状の被保持部４２が、主保持壁６２Ａを跨ぐように保持される。これにより、外側脚部４２Ｂと外側脚部４２Ａの間には樹脂が存在し、若しくは充填されている。
【００５０】
嵌合凸部６１は、短手方向（Ｙ軸方向）に互いに向かい合う第１グランド端子４０ａの内側脚部４５と第２グランド端子４０ｂの内側脚部４５との間に隔壁部６３を備え、遮蔽シールド板４７は隔壁部６３の長手方向（Ｘ軸方向）に沿った中心に配置される。遮蔽シールド板４７は、互いに向かい合う第１グランド端子４０ａの内側脚部４５と第２グランド端子４０ｂの間を完全に遮ることもできるが、本発明の一実施形態のように、第１グランド端子４０ａ及び第２グランド端子４０ｂでは、電気信号の伝送は行わないので、短手方向（Ｙ軸方向）で互に向かい合った端子間でのクロストークの発生を防ぐための遮蔽シールド板４７を、互に向かい合う第１グランド端子４０ａの内側脚部４５と第２グランド端子４０ｂの内側脚部４５との間を部分的に遮るように構成してもよいし、遮蔽シールド板４７を設けなくてもよい。被嵌入部４３の底部から移行部４４、内側脚部４５及び該内側脚部４５の先端部分を屈曲させて形成した接触部４５Ａは、通常時には嵌合凸部６１の隔壁部６３に接触しない自由端である。
【００５１】
端子１０ａ、端子１０ｂ、端子２０ａ及び端子２０ｂは、それぞれ第１グランド端子３０ａ、第２グランド端子３０ｂ、第１グランド端子４０ａ及び第２グランド端子４０ｂと同様の構成を備える。図４の断面図を参照すると、第１側壁５ａ又は第２側壁５ｂの一部分である保持壁５２に端子１０ａ又は端子１０ｂを設けることができる。端子１０ａ又は端子１０ｂは、Ｕ字状に湾曲した部分である嵌入部１３と、Ｕ字状の嵌入部１３の互いに向き合う位置に２つの脚部が形成され、嵌入部１３の２つの脚部のうち嵌合凹部５１側にある一方の脚部１３Ａ（以下、「内側脚部１３Ａ」という）から、屈曲された移行部１２を経て、プラグコネクタ１の短手方向（Ｙ軸方向）外側（Ｙ1側又はＹ2側）に延び、基板に実装される（半田接続される）接続部１１とを有する。図１及び図４に示されるように、端子１０ａ及び端子１０ｂは、それぞれ嵌入部１３および移行部１２で、プラグコネクタ１の長手方向（Ｘ軸方向）に沿った第１側壁５ａ及び第２側壁５ｂとの一体モールド成形等により保持壁５２に保持される。
【００５２】
嵌入部１３は、プラグコネクタ１の長手方向に沿った第１側壁５ａ又は第２側壁５ｂの一部分である保持壁５２を下方から跨ぐようにして、該保持壁５２に埋没されている。嵌入部１３は、Ｕ字状部分の内側板面および側縁が保持壁５２に保持されていて、保持壁５２から露呈したＵ字状部分の外側板面が、第１側壁５ａ又は第２側壁５ｂの内側（嵌合凹部５１側）の表面と同一の面をなすように位置している。
【００５３】
嵌入部１３は、内側脚部１３Ａの嵌合凹部５１側の板面に凹状又は凸状に形成された接触部（図示せず）を有し、当該接触部は、レセプタクルコネクタ２との嵌合状態にてレセプタクルコネクタ２の端子２０の接触部２５Ａと接圧をもって接触することができる。また、嵌入部１３の他方の脚部１３Ｂ（以下、「外側脚部１３Ｂ」という）の嵌合凹部５１から外側に位置する、外側脚部１３Ｂの板面は、レセプタクルコネクタ２の端子２０の外側脚部２２Ａの板面に形成された凹状の接触部２２Ａ−１（図７参照）と係止する凸状の接触部として形成される。
【００５４】
図４の断面図に示されるように、端子１０ａ及び端子１０ｂは、それぞれプラグコネクタ１の長手方向（Ｘ軸方向）に沿った第１側壁５ａ又は第２側壁５ｂの一部分である保持壁５２を接続部１１、移行部１２、内側脚部１３Ａ及び外側脚部１３Ｂを含むＵ字状の嵌入部１３で包み込むようにして、保持壁５２に保持されることにより、内側脚部１３Ａと外側脚部１３Ｂの間、すなわち、嵌入部１３の内側には樹脂が存在し、若しくは充填されている。
【００５５】
レセプタクルコネクタ２の端子２０ａ及び端子２０ｂは、それぞれ嵌合凸部６１側に上下方向に延び自由端を有する弾性脚部（以下、「内側脚部２５」という）及びレセプタクルコネクタ２の第１側壁６ａ又は第２側壁６ｂの一部分である保持壁６２に保持される被保持部２２に連結する脚部（以下、「外側脚部２２Ａ」という）といった２つの脚部を有する、Ｕ字状に湾曲した部分である被嵌入部２３と、Ｕ字状の被嵌入部２３の外側脚部２２Ａを一方の脚部として共有し、外側脚部２２Ａよりも外側の脚部（以下、「外側脚部２２Ｂ」）を他方の脚部として有する逆Ｕ字状の被保持部２２と、外側脚部２２Ｂからレセプタクルコネクタ２の短手方向（Ｙ軸方向）外側（Ｙ1側又はＹ2側）に延び基板に実装される（半田接続される）接続部２１とを有する。
【００５６】
図１及び図４に示されるように、端子２０ａ及び端子２０ｂは、それぞれ被嵌入部２３、被保持部２２、外側脚部２２Ａ及び２２Ｂで、レセプタクルコネクタ２の長手方向に沿った第１側壁６ａ又は第２側壁６ｂとの一体モールド成形等により保持される。被保持部２２は、第１側壁６ａ又は第２側壁６ｂの一部である保持壁６２を上方から跨ぐようにして、該保持壁６２に埋没されている。被嵌入部２３の外側脚部２２Ａの外側（裏側）板面および側縁が保持壁６２に保持されていて、保持壁６２から露呈したＵ字状部分の内側板面が、第１側壁６ａ又は第２側壁６ｂの内側（嵌合凸部６１側）の表面と同一の面をなすように位置している。
【００５７】
図４の断面図を参照すると、端子２０ａ及び端子２０ｂは、それぞれレセプタクルコネクタ２の長手方向に沿った第１側壁６ａ又は第２側壁６ｂの一部分である保持壁６２に、外側脚部２２Ｂが埋め込まれて保持される。つまり、外側脚部２２Ｂが主保持壁６２Ａと副保持壁６２Ｂの間で挟み込まれ、外側脚部２２Ｂ及び外側脚部２２Ａを含む逆Ｕ字状の被保持部２２が、主保持壁６２Ａを跨ぐように保持される。これにより、外側脚部２２Ｂと外側脚部２２Ａの間には樹脂が存在し、若しくは充填されている。
【００５８】
嵌合凸部６１は、短手方向（Ｙ軸方向）に互いに向かい合う端子２０ａの内側脚部２５と端子２０ｂの内側脚部２５の間に隔壁部６３を備え、遮蔽シールド板４７は隔壁部６３の長手方向（Ｘ軸方向）に沿った中心に配置される。遮蔽シールド板４７は、互いに向かい合う端子２０ａの内側脚部２５と端子２０ｂの内側脚部２５の間を完全に遮ることができる。第１端子群２００ａ及び第２端子群２００ｂにおいて短手方向（Ｙ軸方向）で互いに向かい合った複数の端子２０ａ及び２０ｂのうち、電気信号の高速伝送のために使用しない端子２０ａ及び端子２０ｂは、クロストーク等の電気的悪影響はほとんど生じ得ないので、本発明の一実施形態のように、互いに向かい合う端子２０ａの内側脚部２５と端子２０ｂの内側脚部２５との間を遮蔽シールド板で完全に遮らなくてもよく、遮蔽シールド板４７を、互に向かい合う内側脚部２５の間を部分的に遮るように構成してもよいし、また、高速伝送のために用いられない端子２０ａの内側脚部２５と端子２０ｂの内側脚部２５の間には遮蔽シールド板４７を設けなくてもよい。被嵌入部２３の底部から移行部２４、内側脚部２５及び該内側脚部２５の先端部分を屈曲させて形成した接触部２５Ａは、通常時には嵌合凸部６１の隔壁部６３に接触しない自由端である。
【００５９】
図３及び図４の断面図に示されるように、プラグコネクタ１の端子１０ａと第１グランド端子３０ａとの断面形状は同一である。同様に、プラグコネクタ１の端子１０ｂと第２グランド端子３０ｂとの断面形状も同一である。また、レセプタクルコネクタ２の端子２０ａと第１グランド端子４０ａとの断面形状は同一である。同様に、レセプタクルコネクタ２の端子２０ｂと第２グランド端子４０ｂとの断面形状は同一である。
【００６０】
図３に示す長手方向（Ｘ軸方向）のＣ−Ｃ線に沿って、長手方向にプラグコネクタ１及びレセプタクルコネクタ２を垂直に切った断面図を図５に示す。本発明の一実施形態では、遮蔽シールド板４７は、嵌合凸部６１に埋設されており、嵌合方向（Ｚ軸方向）上側に位置する遮蔽シールド板４７の上端は、嵌合凸部６１の上面と平行に一定の高さとなるように構成することができる。図３から図５に示されるように、本発明の一実施形態では遮蔽シールド板４７は嵌合凸部６１の上面よりも上方に出ないように構成されているが、この実施形態に限定されるものではなくプラグコネクタ１とレセプタクルコネクタ２との嵌合が可能であれば、嵌合凸部６１の上面よりも遮蔽シールド板４７の上端部が上方に出るように構成してもよい。
【００６１】
また、別の実施形態として、遮蔽シールド板４７に、板厚方向（Ｙ軸方向）に１つ以上の貫通した孔（貫通孔）を設けることができる。一体モールド成形により、絶縁樹脂から嵌合凸部６１等を含むハウジング６０を成形する際に、遮蔽シールド板４７に設けられた貫通孔に樹脂が入り込んで当該貫通孔を埋める。つまり、貫通孔にハウジング６０の絶縁樹脂が充填されたことで、遮蔽シールド板４７をより一層強固にハウジング６０の嵌合凸部６１に保持することができる。また、遮蔽シールド板４７の貫通孔を間に挟んで互いに向かい合う端子２０ａと端子２０ｂは、端子間を完全には遮っていないのでクロストークが発生し得るため、電気信号の高速伝送用の信号端子として使用せずに、電気信号の伝送以外の用途（グランド等）に使用することができる。
【００６２】
プラグコネクタ１の短手方向に沿った側壁には補強部３４が設けられ、また、レセプタクルコネクタ２の短手方向に沿った側壁には補強部４６が設けられる。補強部３４はハウジング５０と一体モールド成形することができ、補強部４６も同様にハウジング６０と一体モールド成形することもできる。補強部３４は、保持壁５３を挟み込むようにＵ字状に成形された形状により保持壁５３に保持され、補強部４６は、保持壁６４を挟み込むようにＵ字状に成形された形状により当該保持壁６４に保持される。遮蔽シールド板４７の長手方向（Ｘ軸方向）の嵌合凹部８０側の角部分は、テーパー部６５の表面から外側に出ないように、テーパー部６５と同様に傾斜状に形成される。プラグコネクタ１をレセプタクルコネクタ２に接続する際に、プラグコネクタ１の第１側壁５ａ、第２側壁５ｂ及び補強部３４は嵌合凸部として機能し、レセプタクルコネクタ２の嵌合凹部８０に嵌め合わされる。
【００６３】
この際に、レセプタクルコネクタ２の補強部４６の上部の傾斜面とテーパー部６５の傾斜面は、プラグコネクタ１の補強部３４をスムーズに嵌合凹部８０に誘い込むことができる。また、補強部３４及び補強部４６により、プラグコネクタ１及びレセプタクルコネクタ２の短手方向（Ｙ軸方向）に沿った側壁を補強し、コネクタ同士の接続時に、当該側壁が折れたり削れたりすることを防ぐことができる。
【００６４】
図６は、本発明の一実施形態に係るレセプタクルコネクタの底面を示す。レセプタクルコネクタ２の底面の長手方向（Ｘ軸方向）に沿った中央部分から遮蔽シールド板４７の底面を露出させるように構成することができる。接続部４８は、遮蔽シールド板４７を基板４に実装できる（半田接続される）ように遮蔽シールド板４７の底面に形成される。また、端子２０の接続部２１及びグランド端子４０の接続部４１も同様に基板４に実装することができる。さらに、補強部４６にも基板４に実装できるように構成された接続部４９を設けることができる。
【００６５】
図７は、本発明の一実施形態に係る端子群、グランド端子及び遮蔽シールド板等を示す斜視図である。図８は、図７に示す端子群、グランド端子及び遮蔽シールド板等の上面図である。これらの図は、レセプタクルコネクタ２のハウジング６０を除いて端子群、グランド端子及び遮蔽シールド板等の様子を示す。図７に示されるように、端子２０の外側脚部２２Ａの板面には凹状の接触部２２Ａ−１が形成され、グランド端子４０の外側脚部４２Ａの板面には凹状の接触部４２Ａ−１が形成される。
【００６６】
図８に示されるように、第１端子群２００ａ及び第１グランド端子４０ａを長手方向（Ｘ軸方向）に沿って一方の側（Ｘ1側）から他方の側（Ｘ2側）に向けて、順に端子を第１グランド端子４０ａ−１、端子２０ａ−１から端子２０ａ−８、第１グランド端子４０ａ−２とし、第２端子群２００ｂ及び第２グランド端子４０ｂを長手方向（Ｘ軸方向）に沿って一方の側（Ｘ1側）から他方の側（Ｘ2側）に向けて、順に端子を第２グランド端子４０ｂ−１、端子２０ｂ−１から端子２０ｂ−８、第１グランド端子４０ｂ−２とする。
【００６７】
２枚の遮蔽シールド板４７のうち１枚目の遮蔽シールド板４７は、ハウジング６０の底部を通るように構成された連結部５５を介して第１グランド端子４０ａ−１又は第２グランド端子４０ｂ−１に連結され、２枚目の遮蔽シールド板４７は、同様に連結部５５を介して第２グランド端子４０ｂ−２又は第１グランド端子４０ａ−２に連結することができる。図８に示す実施形態では、一方の側（Ｘ1側）の遮蔽シールド板４７は、連結部５５を介して第２グランド端子４０ｂ−１に連結され、他方の側（Ｘ2側）の遮蔽シールド板４７は、同様に連結部５５を介して第１グランド端子４０ａ−２に連結される。すなわち、遮蔽シールド板と連結部とグランド端子とは連結された一体の構成となっており、金属板を打ち抜いた後、折曲加工することにより成形することができる。また、遮蔽シールド板４７に連結されていない残りの第１グランド端子４０ａ−１及び第２グランド端子４０ｂ−２は、それぞれハウジング６０の側壁の角部に沿って形成された連結部５６を介して補強部４６に連結される。
【００６８】
また、一方の側（Ｘ1側）の遮蔽シールド板４７と連結部５５と第２グランド端子４０ｂ−１からなる部材の形状と、他方の側（Ｘ2側）の遮蔽シールド板４７と連結部５５と第１グランド端子４０ａ−２からなる部材の形状とは同一である。同様に、一方の側（Ｘ1側）の第１グランド端子４０ａ−１と連結部５６と補強部４６からなる部材の形状と、他方の側（Ｘ2側）の第２グランド端子４０ｂ−２と連結部５６と補強部４６からなる部材の形状とは同一である。これにより、レセプタクルコネクタ２を構成する部品の種類を減らすことができる。
【００６９】
遮蔽シールド板４７の連結先は、図７及び図８に示す実施形態に限定されるものではなく、一方の側（Ｘ1側）の遮蔽シールド板４７は、一方の側（Ｘ1側）の第１グランド端子４０ａ−１及び第２グランド端子４０ｂ−１の少なくとも一方と連結することができ、他方の側（Ｘ2側）の遮蔽シールド板４７も、他方の側（Ｘ2側）の第１グランド端子４０ａ−２及び第２グランド端子４０ｂ−２の少なくとも一方に連結することができる。例えば、２枚の遮蔽シールド板４７を共に同じ側にある第１グランド端子４０ａ（４０ａ−１及び４０ａ−２）又は第２グランド端子４０ｂ（４０ｂ−１及び４０ｂ−２）に連結することもでき、２枚の遮蔽シールド板４７に連結されていない反対側にある第２グランド端子４０ｂ（４０ｂ−１及び４０ｂ−２）又は第１グランド端子４０ａ（４０ａ−１及び４０ａ−２）を補強部４６に連結することもできる。
【００７０】
図８に示される点線で囲まれた一方の側（Ｘ1側）の第１グランド端子４０ａ−１及び第２グランド端子４０ｂ−１とそれらに隣接する端子２０ａ−１及び端子２０ｂ−１について、端子２０ａ−１及び端子２０ｂ−１を共に信号端子として機能させた場合に、互に向かい合った信号端子２０ａ−１と信号端子２０ｂ−１との間のクロストークの発生を、第２グランド端子４０ｂ−１に連結された遮蔽シールド板４７によって低減することができる。その結果、信号端子２０ａ−１及び信号端子２０ｂ−１の高周波特性を向上させることができる。また、端子２０ａ−１及び端子２０ｂ−１のうち少なくとも一方を信号端子として機能させた場合にも、第２グランド端子４０ｂ−１に連結された遮蔽シールド板４７によって、当該信号端子のクロストークの発生を低減して、高周波特性を向上させることができる。例えば、第１グランド端子４０ａ−１に隣接する端子２０ａ−１を信号端子として機能させ、第１グランド端子４０ａ−１に向かい合った第２グランド端子４０ｂ−１に隣接する端子２０ｂ−１をグランド端子として機能させた場合には、第１グランド端子４０ａ−１及び遮蔽シールド板４７によって、当該信号端子のクロストークの発生を低減して、高周波特性を向上させることができる。別の点線で囲まれた他方の側（Ｘ2側）の第１グランド端子４０ａ−２及び第２グランド端子４０ｂ−２とそれらに隣接する端子２０ａ−８及び端子２０ｂ−８についても、同様に機能させた場合には同じ効果を得ることができる。
【００７１】
さらに、端子２０ａ−１及び端子２０ｂ−１を共に信号端子として機能させ、端子２０ａ−２及び端子２０ｂ−２を共にグランド端子として機能させた場合には、信号端子２０ａ−１は、第１グランド端子４０ａ−１とグランド端子２０ａ−２との間に挟まれ、信号端子２０ｂ−１は、第２グランド端子４０ｂ−１とグランド端子２０ｂ−２との間に挟まれ、かつ、第２グランド端子４０ｂ−１との連結によりグランドとして機能する遮蔽シールド板４７によって向かい合う信号端子２０ａ−１及び信号端子２０ｂ−１とのクロストークを遮ることができる。その結果として、特に信号端子２０ａ−１及び信号端子２０ｂ−１の高周波特性を向上させることができ、互いに向かい合った端子同士が互いの容量あるいは誘導により生じ得るクロストーク等の電気的悪影響の発生を低減し、インピーダンス整合を適切に維持することができる。特に、端子２０ａ−１及び端子２０ｂ−１の信号として同軸信号を機能させた場合には、これらの端子の高周波特性を特に向上できる。別の点線で囲まれた他方の側（Ｘ2側）の第１グランド端子４０ａ−２及び第２グランド端子４０ｂ−２とそれらに隣接する端子２０ａ−８及び端子２０ｂ−８についても、同様に機能させた場合には同じ効果を得ることができる。
【００７２】
別の実施例として、端子２０ａ−１を信号端子、端子２０ａ−２をグランド端子として機能させ、端子２０ｂ−１を信号端子、端子２０ｂ−２を信号端子、端子２０ｂ−３をグランド端子として機能させた場合には、図８に示される点線で囲まれた一方の側（Ｘ1側）の端子の構成において、信号端子２０ａ−１は、第１グランド端子４０ａ−１とグランド端子２０ａ−２との間に挟まれ、かつ、第２グランド端子４０ｂ−１との連結によりグランドとして機能する遮蔽シールド板４７によって、向かい合う信号端子２０ｂ−１とのクロストークの発生を低減することができる。また、信号端子２０ｂ−１は、第２グランド端子４０ｂ−１との連結によりグランドとして機能する遮蔽シールド板４７によって、向かい合う信号端子２０ａ−１とのクロストークの発生を低減することができる。特に、端子２０ａ−１の信号として同軸信号を機能させ、端子２０ｂ−１と端子２０ｂ−２の信号として両端子でペアとして差動信号を機能させた場合には、これらの端子の高周波特性を特に向上できる。別の点線で囲まれた他方の側（Ｘ2側）でも上記実施例と同様に構成した場合に、同様の効果を得ることができる。
【００７３】
さらに別の実施例として、端子２０ａ−１をグランド端子、端子２０ａ−２を信号端子として機能させ、端子２０ｂ−１を信号端子、端子２０ｂ−２をグランド端子として機能させた場合には、図８に示される点線で囲まれた一方の側（Ｘ1側）の端子の構成において、信号端子２０ｂ−１は、第２グランド端子４０ｂ−１とグランド端子２０ｂ−２との間に挟まれ、かつ、第２グランド端子４０ｂ−１との連結によりグランドとして機能する遮蔽シールド板４７及びグランド端子２０ａ−１によって、完全にグランド端子に囲まれることで、クロストークの発生を低減することができる。別の点線で囲まれた他方の側（Ｘ2側）でも上記実施例と同様に構成した場合に、同様の効果を得ることができる。
【００７４】
そして、２枚の遮蔽シールド板４７の各々が、第１グランド端子４０ａ−２及び第２グランド端子４０ｂ−１に連結することで、コネクタを構成する部品数を減らすことができ、遮蔽シールド板４７を基板４に実装するためにハウジング６０の側壁６ａ又は側壁６ｂの外側に延出するような実装部を設ける必要がなく、コネクタ等の部品の高密度実装化や小型化が可能となる。
【００７５】
図９は、レセプタクルコネクタのハウジングを除いて、本発明の別の実施形態に係る端子群、グランド端子及び遮蔽シールド板等を示す斜視図である。図１０は図９に示す端子群、グランド端子及び遮蔽シールド板等の上面図である。図１０に示されるように、図８と同様に、第１端子群２００ａ及び第１グランド端子４０ａを長手方向（Ｘ軸方向）に沿って一方の側（Ｘ1側）から他方の側（Ｘ2側）に向けて、順に端子を第１グランド端子４０ａ−１、端子２０ａ−１から端子２０ａ−８、第１グランド端子４０ａ−２とし、第２端子群２００ｂ及び第２グランド端子４０ｂを長手方向（Ｘ軸方向）に沿って一方の側（Ｘ1側）から他方の側（Ｘ2側）に向けて、順に端子を第２グランド端子４０ｂ−１、端子２０ｂ−１から端子２０ｂ−８、第１グランド端子４０ｂ−２とする。
【００７６】
これらの図に示されるように、遮蔽シールド板４７’を一枚で構成することもできる。一枚の遮蔽シールド板４７’の両端は、それぞれハウジング６０の底部を通るように構成された連結部５５’を介して、第２グランド端子４０ｂ−１及び第２グランド端子４０ｂ−２に連結される。また、遮蔽シールド板４７’に共に連結されていない第１グランド端子４０ａ−１及び第１グランド端子４０ａ−２は、それぞれハウジング６０の側壁の角部に沿って形成された連結部５６’を介して補強部４６に連結される。
【００７７】
遮蔽シールド板４７’の連結先は、図９及び図１０に示す実施形態に限定されるものではなく、第２グランド端子４０ｂ−１及び第２グランド端子４０ｂ−２を、それぞれ連結部５６’を介して補強部４６に連結し、第１グランド端子４０ａ−１及び第１グランド端子４０ａ−２を、それぞれ連結部５５’を介して遮蔽シールド板４７’に連結することもできる。また、遮蔽シールド板４７’の一端（Ｘ1側の端）は、第１グランド端子４０ａ−１及び第２グランド端子４０ｂ−１の少なくとも一方と連結され、遮蔽シールド板４７’の他端（Ｘ2側の端）は、第１グランド端子４０ａ−２及び第２グランド端子４０ｂ−２の少なくとも一方に連結することができる。例えば、図７及ぶ図８に示す実施形態のように、遮蔽シールド板４７’の一端（Ｘ1側の端）を第２グランド端子４０ｂ−１に連結し、遮蔽シールド板４７’の他端（Ｘ2側の端）を第１グランド端子４０ａ−２に連結することもできる。
【００７８】
図１０に示される点線で囲まれた一方の側（Ｘ1側）の第１グランド端子４０ａ−１及び第２グランド端子４０ｂ−１とそれらに隣接する端子２０ａ−１及び端子２０ｂ−１等の構成を、図７及び図８に示す実施形態において説明したグランド端子、信号端子の実施例と同様にした場合には、同様の効果を得ることができる。図１０に示される点線で囲まれた他方の側（Ｘ2側）の第１グランド端子４０ａ−２及び第２グランド端子４０ｂ−２とそれらに隣接する端子２０ａ−８及び端子２０ｂ−８等の構成についても、同様である。また、このような構成により、図７及び図８に示す実施形態と同様に、コネクタを構成する部品数を減らすことができ、コネクタ等の部品の高密度実装化や小型化が可能となる。
【００７９】
図１１は、レセプタクルコネクタのハウジングを除いて、本発明のさらに別の実施形態に係る端子群、グランド端子及び遮蔽シールド板等を示す斜視図である。図１２は図１１に示す端子群、グランド端子及び遮蔽シールド板等の上面図である。図１２に示されるように、図８及び図１０と同様に、第１端子群２００ａ及び第１グランド端子４０ａを長手方向（Ｘ軸方向）に沿って一方の側（Ｘ1側）から他方の側（Ｘ2側）に向けて、順に端子を第１グランド端子４０ａ−１、端子２０ａ−１から端子２０ａ−８、第１グランド端子４０ａ−２とし、第２端子群２００ｂ及び第２グランド端子４０ｂを長手方向（Ｘ軸方向）に沿って一方の側（Ｘ1側）から他方の側（Ｘ2側）に向けて、順に端子を第２グランド端子４０ｂ−１、端子２０ｂ−１から端子２０ｂ−８、第１グランド端子４０ｂ−２とする。
【００８０】
これらの図に示されるように、一方の側（Ｘ1側）の遮蔽シールド板４７は、ハウジング６０の底部を通るように構成された連結部５７を介して一方の側（Ｘ1側）の補強部４６に連結され、他方の側（Ｘ2側）の遮蔽シールド板４７は、同様に連結部５７を介して他方の側（Ｘ2側）の補強部４６に連結される。また、一方の側（Ｘ1側）の補強部４６に隣接して設けられた両側の第１グランド端子４０ａ−１及び第２グランド端子４０ｂ−１は、それぞれハウジング６０の側壁の角部に沿って形成された連結部５８を介して補強部４６に連結される。他方の側（Ｘ2側）の補強部４６に隣接して設けられた両側の第１グランド端子４０ａ−２及び第２グランド端子４０ｂ−２についても同様である。
【００８１】
第１グランド端子４０ａ−１，４０ａ−２及び第２グランド端子４０ｂ−１，４０ｂ−２の連結先は、図１１及び図１２に示す実施形態に限定されるものではなく、一方の側（Ｘ1側）で向かい合う第１グランド端子４０ａ−１及び第２グランド端子４０ｂ−１の少なくともいずれかが一方の側（Ｘ1側）の補強部４６に連結され、他方の側（Ｘ2側）で向かい合う第１グランド端子４０ａ−２及び第２グランド端子４０ｂ−２の少なくともいずれかが他方の側（Ｘ2側）の補強部４６に連結されてもよく、第１グランド端子ａ−１，４０ａ−２及び第２グランド端子４０ｂ−１，４０ｂ−２も補強部４６に連結されなくてもよい。
【００８２】
図１２に示される点線で囲まれた一方の側（Ｘ1側）の第１グランド端子４０ａ−１及び第２グランド端子４０ｂ−１とそれらに隣接する端子２０ａ−１及び端子２０ｂ−１等の構成を、図７及び図８に示す実施形態において説明したグランド端子、信号端子の実施例と同様にした場合には、同様の効果を得ることができる。図１２に示される点線で囲まれた他方の側（Ｘ2側）の第１グランド端子４０ａ−２及び第２グランド端子４０ｂ−２とそれらに隣接する端子２０ａ−８及び端子２０ｂ−８等の構成についても、同様である。また、このような構成により、図７から１０に示した実施形態と同様に、コネクタを構成する部品数を減らすことができ、コネクタ等の部品の高密度実装化や小型化が可能となる。
【００８３】
図１から８及び図１１から１２に示すように、遮蔽シールド板４７を２枚で構成することで、レセプタクルコネクタ２の端子２０ａ及び端子２０ｂの数を増やして、コネクタサイズを長手方向に大きくする（つまり、幅を拡げる）ことができる。もとのコネクタで使用していた端子２０ａ及び端子２０ｂ、第１グランド端子４０ａ及び第２グランド端子４０ｂ、遮蔽シールド板４７を使いまわす場合に、幅を拡げても形状を変える必要のない端子２０ａ及び端子２０ｂ、第１グランド端子４０ａ及び第２グランド端子４０ｂはそのまま使用することができるが、２つの遮蔽シールド板４７は、長手方向（Ｙ軸方向）の間隔が広くなり向かい合う端子２０ａと端子２０ｂとの間を遮ることができない部分ができる。このような場合であっても、遮蔽シールド板４７で遮られていない端子２０ａ及び端子２０ｂは、電気信号の高速伝送に利用しないように設計すれば、特に、クロストークの発生等の問題は生じ得ない。本発明は、このように部品をうまく再利用することもできる。
【００８４】
本発明の個々の実施例は、独立したものではなく、それぞれ組み合わせて適宜実施することができる。
【産業上の利用可能性】
【００８５】
本発明に係るコネクタは、電気信号の高速伝送を行うスマートフォン、携帯電話等の電子機器において、基板間をフラットケーブルで接続する等の用途に利用することができる。
【符号の説明】
【００８６】
１  プラグコネクタ
２  レセプタクルコネクタ（ソケットコネクタ）
３  基板（フレキシブルフラットケーブル）
４  基板（プリント配線基板）
５ａ  第１側壁
５ｂ  第２側壁
６ａ  第１側壁
６ｂ  第２側壁
１０ａ、１０ｂ  端子
１１  接続部
１２  移行部
１３  嵌入部
１３Ａ  内側脚部
１３Ｂ  外側脚部
２０ａ、２０ｂ  端子
２１  接続部
２２  被保持部
２２Ａ  外側脚部
２２Ａ−１  接触部
２２Ｂ  外側脚部
２３  被嵌入部
２４  移行部
２５  内側脚部
２５Ａ  接触部
３０ａ  第１グランド端子
３０ｂ  第２グランド端子
３１  接続部
３２  移行部
３３  嵌入部
３３Ａ  内側脚部
３３Ｂ  外側脚部
３４  補強部
４０ａ  第１グランド端子
４０ｂ  第２グランド端子
４１  接続部
４２  被保持部
４２Ａ  外側脚部
４２Ａ−１  接触部
４２Ｂ  外側脚部
４３  被嵌入部
４４  移行部
４５  内側脚部
４５Ａ  接触部
４６  補強部
４７、４７’  遮蔽シールド板
４８  接続部
４９  接続部
５０  ハウジング
５１  嵌合凹部
５２  保持壁
５３  保持壁
５４  ロック部
５５、５５’  連結部
５６、５６’  連結部
５７  連結部
５８  連結部
６０  ハウジング
６１  嵌合凸部
６２  保持壁
６２Ａ  主保持壁
６２Ｂ  副保持壁
６３  隔壁部
６４  保持壁
６５  テーパー部
８０  嵌合凹部
１００ａ  第１端子群
１００ｂ  第２端子群
２００ａ  第１端子群
２００ｂ  第２端子群
【図１】
2018110087.tif 000003
【図２】
2018110087.tif 000004
【図３】
2018110087.tif 000005
【図４】
2018110087.tif 000006
【図５】
2018110087.tif 000007
【図６】
2018110087.tif 000008
【図７】
2018110087.tif 000009
【図８】
2018110087.tif 000010
【図９】
2018110087.tif 000011
【図１０】
2018110087.tif 000012
【図１１】
2018110087.tif 000013
【図１２】
2018110087.tif 000014